(57)【要約】【課題】放送の視聴場所において受信可能なチャネルの受信情報を表示して、実際にチャネルをスキャンすることなく受信可能性の高いチャネルを受信可能チャネルとして確認させること。【解決手段】アンテナ部１０１、無線受信部１０２及び復調部１０３は、放送波を受信し、復号データ処理部１１０の制御によって、チャネルのスキャン、サーチ及び選局のそれぞれを実行する。復号データ処理部１１０は、スキャン、サーチ及び選局のそれぞれの実行によって受信するチャネルの受信状態情報を、スキャン、サーチ及び選局のそれぞれが実行される毎に、受信可能なチャネル情報として、チャネル情報用メモリ１０４のチャネルリストに保存又は更新する。指示部１０５を介したチャネルのスキャンの実行の指示を受けて、復号データ処理部１１０は、スキャンを実行させる前に、受信可能なチャネルの受信状態情報を含むチャネルリストを表示部１０６に表示する。【選択図】図１
2008072503.tif 000002
【特許請求の範囲】
【請求項１】
放送波を受信する受信手段と、
前記受信手段を制御して、チャネルのスキャン、サーチ及び選局のそれぞれを実行させる実行手段と、
前記受信手段の前記スキャン、サーチ及び選局のそれぞれの実行により受信するチャネルに関する情報を、当該チャネルの受信状態を示す受信状態情報を含めた受信可能なチャネル情報として取得するチャネル情報取得手段と、
前記スキャン、サーチ及び選局のそれぞれが実行される毎に、前記チャネル情報取得手段により取得される前記チャネル情報をチャネルリストとして保存又は更新して記憶する記憶手段と、
前記チャネルのスキャン、サーチ及び選局の実行のそれぞれを指示する指示手段と、
前記指示手段の指示に応じて前記実行手段を制御するとともに、前記指示手段から前記スキャンの実行が指示された場合、前記受信手段に前記スキャンを実行させる前に、前記記憶手段に記憶された前記チャネルリストを表示部に表示する制御手段と、
を有することを特徴とする放送受信装置。
【請求項２】
前記制御手段は、前記指示手段から前記サーチまたは前記選局の実行が指示された場合、前記実行手段を介して前記受信手段に前記サーチまたは前記選局を実行させる前に、前記チャネルリストを前記表示部に表示することを特徴とする請求項１記載の放送受信装置。
【請求項３】
前記受信手段は、複数のアンテナ部を有し、前記スキャン、サーチ及び選局のうち少なくとも一つを実行する際に、前記放送波を、前記複数のアンテナ部を用いたダイバシティ受信または前記複数のアンテナ部の一本を用いたシングル受信の一方で行い、
前記ダイバシティ受信または前記シングル受信を介して前記チャネル情報取得手段により取得される前記チャネル情報には、前記ダイバシティ受信または前記シングル受信を行ったことを示す受信方法情報が含まれることを特徴とする請求項１記載の放送受信装置。
【請求項４】
前記チャネル情報取得手段により前記チャネル情報を取得した場所の位置情報を取得する位置情報取得手段を更に有し、
前記記憶手段は、前記位置情報を前記チャネル情報として記憶することを特徴とする請求項１記載の放送受信装置。
【請求項５】
放送波を受信して、チャネルのスキャン、サーチ及び選局のそれぞれを実行するステップと、
前記スキャン、サーチ及び選局のそれぞれの実行により受信するチャネルに関する情報を、当該チャネルの受信状態を示す受信状態情報を含めた受信可能なチャネル情報として取得するステップと、
前記スキャン、サーチ及び選局のそれぞれが実行される毎に取得される前記チャネル情報をチャネルリストとして保存又は更新して記憶するステップと、
前記スキャンの実行が指示された場合、前記スキャンの実行の指示を受けて、前記スキャンを実行する前に、前記記憶ステップに記憶された前記チャネルリストを表示部に表示する表示ステップを備えることを特徴とする受信方法。
【発明の詳細な説明】
【技術分野】
【０００１】
本発明は、放送受信装置及び受信方法に関し、特に放送信号を受信する放送受信装置及び受信方法に関する。
【背景技術】
【０００２】
従来、ラジオやテレビ等の放送番組は、同一の放送であっても、受信場所によって、受信に良好な受信周波数が変化したり、受信可能な放送局が変更したりする。
【０００３】
このため、受信側では、その受信位置や受信状況毎に適した選局・同調（チャネルスキャン）を行い、現在どのチャネルが受信可能かを検出する必要がある。
【０００４】
例えば、特許文献１では、複数のチューナを設けて、一方のチューナである局の放送番組を受信し、その受信中に、他方のチューナで別の局をサーチすることで、放送番組を視聴しながら他の局の放送をサーチする受信装置が開示されている。
【０００５】
これにより、特許文献１では、一方のチューナを用いてある局からの放送を視聴中に、他方のチューナでサーチした視聴可能なチャネルをモニタに表示し、この表示に基づいてユーザは、視聴可能なチャネルを確認することができる。
【特許文献１】特開２００５−４５５０８号公報
【発明の開示】
【発明が解決しようとする課題】
【０００６】
ところで、従来の受信装置にて放送番組を受信する場合、受信可能なチャネルを探して表示するチャネルサーチを行う場合とともに、所定の周波数帯から放送の行われているチャネルを全て探すチャネルスキャンを行う場合には時間がかかることが知られている。
【０００７】
特許文献１では、一方のチューナにより放送受信中において他の放送が受信可能であるかを確認できるが、この受信中においてユーザがどのチャネルが受信可能であるかを確認する場合、どのチャネルが実際に受信可能であるか否かは、そのチャネルのスキャンをまず実行して放送状態を表示する必要があり、その分時間がかかるものとなっている。
【０００８】
よって、放送を視聴する場合に、極力チャネルスキャンを実行することなく、受信可能なチャネルの受信状況を正確に確認させて、ユーザの利便性を向上したいという要望がある。
【０００９】
本発明はかかる点に鑑みてなされたものであり、放送を視聴する場所において受信可能なチャネルの受信情報を表示して、実際にチャネルをスキャンすることなく受信可能性の高いチャネルを受信可能チャネルとして確認させることができる放送受信装置及び受信方法を提供することを目的とする。
【課題を解決するための手段】
【００１０】
本発明の放送受信装置は、放送波を受信する受信手段と、前記受信手段を制御して、チャネルのスキャン、サーチ及び選局のそれぞれを実行させる実行手段と、前記受信手段の前記スキャン、サーチ及び選局のそれぞれの実行により受信するチャネルに関する情報を、当該チャネルの受信状態を示す受信状態情報を含めた受信可能なチャネル情報として取得するチャネル情報取得手段と、前記スキャン、サーチ及び選局のそれぞれが実行される毎に、前記チャネル情報取得手段により取得される前記チャネル情報をチャネルリストとして保存又は更新して記憶する記憶手段と、前記チャネルのスキャン、サーチ及び選局の実行のそれぞれを指示する指示手段と、前記指示手段の指示に応じて前記実行手段を制御するとともに、前記指示手段から前記スキャンの実行が指示された場合、前記受信手段に前記スキャンを実行させる前に、前記記憶手段に記憶された前記チャネルリストを表示部に表示する制御手段とを有する構成を採る。
【発明の効果】
【００１１】
以上説明したように、本発明によれば、視聴する場所において受信可能なチャネルの受信情報を表示して、実際にチャネルをスキャンすることなく受信可能性の高いチャネルを受信可能チャネルとして確認させることができる。
【発明を実施するための最良の形態】
【００１２】
以下、本発明の実施の形態について、図面を参照して詳細に説明する。
【００１３】
（実施の形態１）
図１は、本発明の実施の形態１に係る放送受信装置１００の構成を示すブロック図である。
【００１４】
本発明の実施の形態１では、放送受信装置１００として、デジタル放送受信装置を例に挙げて説明する。まず、地上波デジタル放送の概略について説明する。
【００１５】
地上波デジタル放送では、１つのチャネルの帯域（６ＭＨｚ）を１３分割したうちの１つ（１セグメント）を割り当て、データ放送サービスが行われる予定である。このデータ放送サービスを部分受信放送という。なお、１セグメントで送信される情報量は非常に少なく、番組情報などは最大でも１０番組先の情報までしか含めることができない。ちなみに、番組情報としてはＰＳＩ（Program Specific Information）やＳＩ（Service Information）が知られており、ＰＳＩは所望の番組を選択するために必要な情報である。また、ＳＩは番組選択の利便性のために規定された各種情報であり、番組名や放送局名などのＥＰＧ（Electronic Program Guide）に関連する情報である。
【００１６】
また、地上波デジタル放送では、放送局が映像、音声、その他の番組情報といった複数のデータを１本のストリームに多重化する際、ＭＰＥＧのプロトコルであるＭＰＥＧ−２  ＴＳ（Transport Stream）が用いられ、多重化されたストリームが受信側で分離され、多重化前のデータが取得される。
【００１７】
このようにデジタル放送は複数のデータを多重化することができるため、アナログ放送とは異なり、１つの周波数帯域でも複数のチャネルを運用することができる。ここで、混乱及び誤用を避けるため、本明細書におけるチャネルの概念について定義する。チャネルには、物理チャネルと論理チャネルがあり、物理チャネルはアナログ放送でも用いられており、物理的な周波数の割り当てチャネルである。周波数チャネルは、地上波デジタル放送において、１３ｃｈから６２ｃｈまでが割り当てられている。次に、論理チャネルは、周波数チャネル内の複数の番組編成（「サービス」）を識別する論理的なチャネルであり、サービスチャネルといい、サービスＩＤによって識別される。このような周波数チャネルとサービスチャネルを総称してチャネルという。
【００１８】
放送受信装置１００は、受信した放送波を用いて放送番組を視聴できるものであり、アンテナ部１０１と、無線受信部１０２と、復調部１０３と、復号データ処理部１１０と、チャネル情報用メモリ１０４と、指示部１０５と、表示部１０６とを有する。
【００１９】
アンテナ部１０１は、放送電波、例えば、地上波デジタルテレビジョン放送の放送電波を受信して、無線受信部１０２に出力する。
【００２０】
無線受信部１０２は、入力された放送信号に対して所定の無線受信処理（ダウンコンバート、Ａ／Ｄ変換）を行い、無線受信処理後の放送情報を復調部１０３に送る。
【００２１】
復調部１０３は、受信データに対してディジタル復調処理を行い、復号データ処理部１１０に送る。
【００２２】
復号データ処理部１１０は、復調部１０３からの受信データを復号化し、復号化したデータからチャネル情報を取得し、指示部１０５からの指示によって、チャネル情報を映像として表示部１０６に表示したり、チャネル情報用メモリ１０４に保存・更新したりする。
【００２３】
具体的に、復号データ処理部１１０は、復調部１０３から入力される受信データを映像、音声情報に変換して、表示部１０６や、図示しないスピーカに出力する。
【００２４】
また、復号データ処理部１１０では、チャネル情報処理部１１２において、制御部１１４からの指示情報によって、復号した受信データに対してスキャンやサーチを行い、所定のチャネルを取得する。
【００２５】
チャネル情報処理部１１２は、指示部１０５からの入力に基づく制御部１１４からの指示情報を受けて、実行部１１１によって、無線受信部１０２及び復調部１０３にチャネルのサーチ、スキャン及び選局などを実行させる。
【００２６】
また、チャネル情報処理部１１２は、指示部１０５からの入力を受けた制御部１１４からの指示情報によって、チャネル情報取得部１１３により取得したチャネルの受信情報をチャネル情報用メモリ１０４に記憶する。チャネル情報取得部１１３は、取得したチャネル情報と同一対象となるチャネルの受信情報が、チャネル情報用メモリ１０４に既に保存されている場合、今回の受信により得られたチャネル情報をチャネル情報用メモリ１０４内に上書き保存することによってチャネル情報を更新する。このチャネル情報取得部１１３は、保存、更新するチャネル情報をチャネル別に一覧で表示可能なチャネルリストとして作成し、チャネル情報メモリ１０４に保存、更新する。
【００２７】
またチャネル情報処理部１１２は、制御部１１４の表示制御部１１７からの指示情報によって、取得したチャネル情報やチャネル情報用メモリ１０４からチャネル情報を読み出して、表示部１０６に表示させる。
【００２８】
制御部１１４は、指示部１０５から入力される指示情報に基づいて復号データ処理部１１０の動作を制御する。具体的には、制御部１１４には、指示部１０５からの指示情報として、チャネル選局指示、チャネルサーチ指示、チャネルスキャン指示、視聴指示等の指示情報が入力され、これら入力される指示情報に基づいてチャネル情報処理部１１２の動作を制御する。制御部１１４は、主に、選択判定部１１５と、受信判定部１１６と、表示制御部１１７とを有する。
【００２９】
選択判定部１１５は、ユーザの操作により指示部１０５を介して入力される指示情報が、チャネル選局指示、チャネルサーチ指示、チャネルスキャン指示のうちいずれかであるかを選択し、選択した情報に対応する処理を、チャネル情報処理部１１２を介して行う。
【００３０】
受信判定部１１６は、チャネル情報処理部１１２を介して行ったチャネルサーチ、選局での受信が可能であったか否かを判定する。その結果に対応して、受信判定部１１６は、チャネル情報処理部１１２に、受信したチャネル情報を保存、更新させる。例えば、選択判定部１１５の判定によるチャネル選択要求を受けてチャネル情報処理部１１２が選局を行った場合、受信判定部１１６は、その選局の受信の可不可を判定する。この判定結果は、チャネル情報処理部１１２に戻され、チャネル情報処理部１１２では、チャネル情報取得部１１３が、判定結果を反映させたチャネル情報を、チャネル情報取得部１１３に保存又は更新する。
【００３１】
また、選択判定部１１５の判定によるサーチ選択要求を受けてチャネル情報処理部１１２がチャネルサーチを行った場合、受信判定部１１６は、そのチャネルサーチにより受信可能なチャネルが有るか否かを判定する。この判定結果は、チャネル情報処理部１１２に戻され、チャネル情報処理部１１２では、チャネル情報取得部１１３が、判定結果を反映させたチャネル情報を、チャネル情報取得部１１３に保存又は更新する。
【００３２】
表示制御部１１７は、指示部１０５からの指示に対応して、チャネル情報処理部１１２にて取得したチャネル情報や作成したチャネルリストを表示部１０６に表示するための制御を行う。表示制御部１１７は、チャネル情報処理部１１２からのチャネル情報を表示部１０６に表示させる際に、そのチャネル情報を取得してから一定期間経過している場合と、一定期間経過していない場合とで異なる形態で表示する。例えば、取得してから一定期間経過したチャネルを点滅表示し、取得してから一定期間内にあるものを点灯表示する。
【００３３】
指示部１０５は、ボタンキーなどを有し、これを用いてユーザは、チャネル選局、チャネルサーチ、チャネルスキャン等の所望の動作指示を選択し、復号データ処理部１１０の制御部１１４に入力する。
【００３４】
表示部１０６は、復号データ処理部１１０により処理されたデータを表示する。
【００３５】
チャネル情報用メモリ１０４は、復号データ処理部１１０のチャネル情報取得部１１３によって処理されたデータ、特にチャネル情報を保存する。
【００３６】
具体的にチャネル情報用メモリ１０４は、受信可能な放送波を検出し、入力される視聴チャネルの番号と対応付けるチャネルサーチにより、サーチした時点で受信可能な放送局の情報を受信チャネルリストとして記録する不揮発メモリである。また、チャネル情報用メモリ１０４は、チャネル情報処理部１１２により作成された異なる放送エリア毎に複数のチャネルリストを備える。
【００３７】
次に、放送受信装置１００においてチャネル情報を表示する動作について説明する。
【００３８】
図２は、本発明の実施の形態１に係る放送受信装置１００におけるチャネル受信中の動作を説明するフローチャートである。
【００３９】
まず、放送受信装置１００は、ステップＳ２０１において、チャネル情報処理部１１２によって、指示部１０５からの指示に対応した視聴対象のチャネル情報をチャネル情報用メモリ１０４から読み出して、無線受信部１０２、復調部１０３を介して対応するチャネルのＴＶ視聴を行う。
【００４０】
ステップＳ２０２では、復号データ処理部１１０では、チャネル情報処理部１１２は、ＴＶ視聴の対象となっている受信中のチャネル情報をチャネル情報用メモリ１０４に保存及び更新する。ここで受信中のチャネルから取得するチャネル情報としては、受信中のチャネルに対応する物理チャネル、論理チャネル、受信品質、受信日時、位置情報（受信位置）及び受信方法などを示す情報である。
【００４１】
ステップＳ２０３では、制御部１１４は、選局要求が有るか否か、つまり、指示部１０５を介して、視聴するチャネルに対応するチャネル番号の選択入力があったか否かを判定する。ステップＳ２０３において、選局要求があれば、つまり、チャネル番号の選択入力があれば、ステップＳ２０４に移行し、選局要求、つまり、チャネル番号選択入力が無ければステップＳ２０５に移行する。
【００４２】
ステップＳ２０５では、制御部１１４は、チャネルサーチ要求が有るか否か、つまり、指示部１０５を介して入力された要求がチャネルサーチ選択要求であるか否かを判定し、チャネルサーチ選択であれば、ステップＳ２０７に移行し、チャネルサーチ選択でなければステップＳ２０６に移行する。
【００４３】
ステップＳ２０６では、制御部１１４は、チャネルスキャン要求が有るか否か、つまり、指示部１０５を介して、チャネルスキャン要求が選択されることにより、チャネルスキャン要求が入力されたか否かを判定し、チャネルスキャン要求があれば、ステップＳ２０８に移行し、無ければステップＳ２０１に戻り、要求があるまで処理を繰り返す。
【００４４】
ステップＳ２０８では、復号データ処理部１１０は、チャネル情報用メモリ１０４からの情報を読み出してチャネルリストを表示部１０６に表示する。なお、このステップＳ２０８にて、表示部１０６に表示されるチャネルリストには、指示部１０５を介して選択可能なチャネル番号、チャネルサーチ（図では「サーチ」）、スキャンのそれぞれが含まれている。
【００４５】
ステップＳ２０９では、制御部１１４は、視聴するチャネルに対応するチャネル番号が選択されたか否か、つまり、指示部１０５を介して入力された要求が選局要求であるか否かを判定する。ステップＳ２０９において、選択された結果が、チャネル番号選択であれば、ステップＳ２０４に移行し、チャネル番号選択でなければステップＳ２１０に移行する。
【００４６】
ステップＳ２０４では、制御部１１４の指示により、チャネル情報処理部１１２は、選択されたチャネルを受信してステップＳ２１１に移行する。
【００４７】
ステップＳ２１１では、制御部１１４は、選択されたチャネルが受信可能であるか否かを判定し、受信可能であれば、ステップＳ２１２に移行し、受信できなければ、ステップＳ２１３に移行する。
【００４８】
ステップＳ２１２では、チャネル情報処理部１１２は、選局成功として選局したチャネルのチャネル情報をチャネル情報用メモリ１０４に更新して、ステップＳ２０１に戻る。
【００４９】
ステップＳ２１３では、チャネル情報処理部１１２は、選局失敗として選局したチャネルのチャネル情報をチャネル情報用メモリ１０４に更新して、ステップＳ２０８に戻る。
【００５０】
一方、ステップＳ２１０では、制御部１１４は、指示部１０５を介して入力された要求がチャネルサーチ要求であるか、つまり、チャネルサーチ選択であるか否かを判定し、チャネルサーチ選択であれば、ステップＳ２０７に移行し、チャネルサーチ選択でなければステップＳ２１４に移行する。
【００５１】
ステップＳ２０７では、チャネル情報処理部１１２は、チャネルサーチを実施してステップＳ２１５に移行し、ステップＳ２１５において、受信可能チャネルの有無を判定する。
【００５２】
ステップＳ２１５において、制御部１１４は、受信可能チャネルがあれば、ステップＳ２１６に移行し、無ければ、ステップＳ２１７に移行する。
【００５３】
ステップＳ２１６では、チャネル情報処理部１１２は、サーチ成功と判断して、チャネルサーチした結果の受信可能チャネルを示すチャネル情報をチャネル情報用メモリ１０４に更新してステップＳ２０１に戻る。
【００５４】
ステップＳ２１７では、チャネル情報処理部１１２は、サーチ失敗としてサーチした選局チャネルのチャネル情報をチャネル情報用メモリ１０４に更新して、ステップＳ２０８に戻る。
【００５５】
ステップＳ２１４では、制御部１１４は、指示部１０５を介して入力された要求が、チャネルスキャン要求であるか否か、つまりチャネルスキャンが選択されたか否かを判定する。ステップＳ２１４において、チャネルスキャン選択であれば、ステップＳ２１８に移行し、チャネルスキャン選択でなければステップＳ２０８に戻る。
【００５６】
ステップＳ２１８では、制御部１１４からの指示によりチャネル情報処理部１１２は、チャネルスキャンを実施し、スキャンして取得したチャネル情報を、チャネル情報用メモリ１０４に保存又は更新し、ステップＳ２０８に戻り処理を繰り返す。
【００５７】
このように本実施の形態１の放送受信装置１００では、選局、チャネルサーチ、チャネルスキャンの指示により、これらの動作の実施時に、これら動作により取得するチャネルのチャネル情報を更新する。
【００５８】
また、チャネルを選局して視聴している最中、つまり、チャネルの受信中においても受信中のチャネル情報を更新する。
【００５９】
そして、放送受信装置１００は、ユーザがチャネルスキャン選択時に、チャネル情報が更新されたチャネルリストを表示する。
【００６０】
図３は、本発明の実施の形態１に係る放送受信装置１００により表示部１０６に表示されるチャネルリストの一例を示す図である。なお、このチャネルリストには、ある放送エリアで受信可能なチャネルとチャネルを指定する番号とが対応した状態で表示されている。
【００６１】
図３に示すチャネルリストにて表示されるチャネルは、ユーザがチャネル選局、チャネルサーチ、チャネルスキャン選択時に更新されたものであるが、これらチャネルの中においても、取得してから一定期間過ぎたチャネル（図３のＣＨ１，ＣＨ３５参照）は点滅表示させている。これにより、受信できる可能性があるチャネルにおいて新しい受信状態を示す情報、古い受信状態を示す情報をユーザにより判別させることができる。
【００６２】
なお、図３に示すチャネルリストが表示される表示部１０６に、タッチパネルディスプレイを用い、チャネルリスト上の各チャネル番号を仮想的な入力キーとして構成し、各チャネル番号に対する接触を検知して、受信チャネルの選択や切り替え要求入力可能に構成してもよい。
【００６３】
この構成によれば、放送受信装置１００において、一番最初にチャネルサーチした結果と、過去にチャネルを受信した際の受信状態（受信電界）とを表示部１０６に表示するため、受信可能なチャネルを推定して、チャネルスキャンを行う回数を減らし、ユーザの利便性を向上させることができる。
【００６４】
（実施の形態２）
図４は、本発明の実施の形態２に係る放送受信装置３００の構成を示すブロック図である。
【００６５】
本発明の実施の形態２に係る放送受信装置３００は、放送受信装置１００と同様に、デジタル放送受信装置を例に挙げて説明する。なお、この放送受信装置３００は、ダイバシティ方式で放送波を受信する点を除き、図１に示す実施の形態１の放送受信装置１００と同様の基本的構成を有しており、同一の構成要素には同一の符号を付し、その説明を省略する。
【００６６】
放送受信装置３００は、放送受信装置１００の構成において、アンテナ部１０１ａ、無線受信部１０２ａ、復調部１０３ａ及び合成部１０７をさらに有してなる。
【００６７】
この放送受信装置３００では、放送波を複数のアンテナ部１０１，１０１ａ、無線受信部１０２，１０２ａで受信して復調部１０３，１０３ａから合成部１０７に送り、合成部１０７で合成して復号データ処理部３１０へ送る。
【００６８】
復号データ処理部３１０は、図１に示す復号データ処理部１１０と同様の構成及び機能を有することに加えて、放送波を受信する際、シングル受信するかダイバシティ受信するかを制御する機能を有する。
【００６９】
具体的には、復号データ処理部３１０では、指示部１０５からチャネルサーチやチャネルスキャンを行う等の入力指示を受けて制御部３１４が、チャネル情報処理部３１２を介して入力指示に対応した制御を行わせる。
【００７０】
チャネル情報処理部３１２は、実行部３１１で、制御部３１４からの指示に応じて複数のアンテナ部１０１，１０１ａ、無線受信部１０２，１０２ａ及び復調部１０３，１０３ａを制御して、シングル受信或いはダイバシティ受信を行う。
【００７１】
なお、チャネル情報処理部３１２は、複数のアンテナ部１０１，１０１ａ、無線受信部１０２，１０２ａ及び復調部１０３，１０３ａからなる２つの受信系統のそれぞれに異なるチャネルを受信させることもできる。この場合、制御部３１４は、一方の受信系統で受信したチャネルを表示させるようにする。また、複数の受信系統において一方の受信系統にのみチャネルを受信させることもでき、この場合、制御部３１４は、一方の受信系統で受信したチャネルを表示させるようにする。
【００７２】
また、実行部３１１は、図１の実行部１１１と同様、指示部１０５からの入力に基づく制御部３１４からの指示情報を受けて、複数のアンテナ部１０１，１０１ａ、無線受信部１０２，１０２ａ及び復調部１０３，１０３ａに、チャネルのサーチ、スキャン及び選局などを実行させる。
【００７３】
具体的には、実行部３１１は、複数のアンテナ部１０１，１０１ａ、無線受信部１０２，１０２ａ及び復調部１０３，１０３ａを各受信系統毎に用いることができ、チャネルのサーチ、スキャン及び選局（チャネル選択）を少なくとも１つを実行させることができる。これによりこの放送受信装置３００では、チャネルスキャン、チャネルサーチをダイバーシチ受信により行うことができる。
【００７４】
チャネル情報処理部３１２は、チャネルスキャン、チャネルサーチ及びチャネル選局の少なくとも１つを行う場合、複数のアンテナ部１０１，１０１ａ、無線受信部１０２，１０２ａ、及び復調部１０３，１０３ａを制御してダイバシティ受信を行い、合成部１０７で合成したデータをチャネル情報として取得する。
【００７５】
チャネル情報処理部３１２は、ダイバシティ受信により同一チャネルを受信させて、合成部１０７にて合成させることによって、単一の受信系統で受信する場合と比較して受信品質の向上を図ることができる。つまり、単一の受信系統で受信できなかったチャネルを受信可能チャネルとして取得できる。
【００７６】
このようにチャネル情報処理部３１２によってダイバシティ受信或いはシングル受信を行うことで取得したチャネル情報には、上述した受信内容に加えて、シングル受信或いはダイバシティ受信を示す受信方法が含まれる。
【００７７】
なお、チャネル情報は、表示制御部３１７の指示を受けて表示部１０６に表示される際には、シングル受信及びダイバシティ受信を識別可能に表示される。
【００７８】
また、チャネル情報取得部３１３は、チャネル情報を取得した際の受信方法が、シングル受信である場合に加えて、ダイバシティ受信により行った旨を示す情報を含めたチャネル情報をチャネル情報用メモリ１０４に保存或いは更新する。
【００７９】
チャネル情報取得部３１３におけるその他の機能は、チャネル情報取得部１１３と同様であるため説明は省略する。
【００８０】
制御部３１４は、制御部１１４と同様の機能に加えて、放送波をダイバシティ受信により行った場合に対応する処理を行う。具体的に、制御部３１４は、選択判定部１１５と同様の選択判定部３１５、受信判定部１１６と同様の受信判定部３１６及び表示制御部１１４と同様の表示制御部３１７等を有する。
【００８１】
特に、表示制御部３１７は、表示制御部１１７と同様の機能に加えて、表示部１０６にチャネルリストを表示する際に、チャネル情報処理部３１２を介して、チャネルの受信情報として、シングル受信したものであるか、ダイバシティ受信したものであるかを識別可能に表示させる。
【００８２】
図５は、ダイバシティ受信機能を有する放送受信装置の表示部に表示されるチャネルリストの一例を示す図である。なお、このチャネルリストには、ある放送エリアで受信可能なチャンネルとチャンネルを指定する番号とが対応した状態で表示されている。
【００８３】
この図５に示すように、表示制御部３１７は、チャネル情報処理部３１２を介してチャネルリストを表示部１０６に表示する際に、例えば、チャネルリスト上に表示されるチャネル毎に、最後に受信した際の受信環境を色別に表示したりする。
【００８４】
例えば、図５では、チャネルリストにて表示される受信可能なチャネルは、赤（ＣＨ１０，ＣＨ２２，ＣＨ５５）、青（ＣＨ１，ＣＨ１３，ＣＨ４２）、黄の点灯（ＣＨ３，ＣＨ３５）、点滅（ＣＨ８）の形態によって表示される。
【００８５】
表示制御部３１７は、受信判定部３１６において最後に確認した際の受信環境が良好であると判定された場合、青色表示、受信環境が中程度で有ると判定された場合、黄色表示、受信できなかったと判定された場合は赤色表示する。
【００８６】
ここでは、受信判定部３１６を受けた表示制御部３１７における表示色の判定は、シングル受信で受信できたチャネルは青色表示、ダイバシティ受信で受信できたチャネルを、シングル受信できた場合よりも電界強度が弱いものとして黄色と判定している。なお、受信環境の判定は、Ｃ／Ｎ（Carrier(放送局の電波)／Noise(ノイズ）)を用いて判定しても良い。
【００８７】
また、表示制御部３１７が、チャネル情報処理部３１２を介してチャネルリストとして表示部１０６に表示するチャネル情報は、最後に受信してから一定期間経過しているものについては、点滅表示等、一定期間内で受信した状態のものと区別して表示する。
【００８８】
このようなダイバシティ受信可能な放送受信装置３００によれば、チャネル情報処理部３１２によって表示部１０６に表示されるチャネルリストにおいて、ダイバシティ受信か、シングル受信かのいずれかの受信方法で受信したチャネルとして表示できる。
【００８９】
なお、上記構成の放送受信装置３００による表示部１０６におけるチャネルリストの表示形態としては、図５に示す表示形態よりも更に詳細な情報を表示しても良い。
【００９０】
図６は、ダイバシティ受信機能を有する放送受信装置の表示部に表示されるチャネルリストの別例を示す図である。
【００９１】
図６に示すチャネルリストでは、表示制御部３１７によって、受信可能なチャネル番号と、そのチャネルの放送局名（ＮＮＮ総合、ＮＮＮ教育、ｘｘｘテレビ、…、テレビａａａ、ｃｃｃ放送）、受信強度（電界強、電界中、受信不可）、日時などが表示されている。
【００９２】
なお、これらチャネルの放送局名、受信強度は、それぞれ、チャネルサーチ、チャネルスキャン、選局受信などを行った際のチャネル情報として、放送波のチャネルを受信した際に得られる情報である。なお、日時は、それぞれのチャネルを受信した際に、チャネル情報処理部３１２によってタイマを用いて、チャネル情報用メモリ１０４に記録されるものである。また、図６で示す受信強度では、電界強は、シングル受信にて受信できたチャネルの受信状態、電界中はダイバシティ受信で受信できたチャネルの受信状態にそれぞれ対応する。
【００９３】
この放送受信装置３００は、ダイバシティ受信によってチャネルスキャン、チャネルサーチを行うため、シングル受信でチャネルスキャン、チャネルサーチを行う場合と比較して、シングル受信では受信不能であったチャネルを、受信可能なチャネルとして取得することができる。
【００９４】
このように構成された放送受信装置３００では、チャネル受信時において、現在受信しているチャネルの受信方法（シングル／ダイバー）、受信電界、受信日時等の情報がチャネル情報用メモリ１０４に定期的に記憶又は更新される。
【００９５】
さらに、放送受信装置３００では、チャネルスキャン、チャネルサーチを行った際に、スキャン、サーチの対象となったチャネルの受信状態の情報（受信方法（シングル／ダイバー）、受信電界、受信日時等の情報）がチャネル情報用メモリ１０４に記憶又は更新される。
【００９６】
また、放送受信装置３００では、ユーザにより指示部１０５を介してチャネルスキャン要求が行われた場合、一旦チャネル情報用メモリ１０４に保存されているチャネルリストを表示する。このチャネルリスト表示中において、ユーザによりチャネルスキャンが要求される場合、チャネルスキャンを実行する。
【００９７】
このように、放送受信装置３００では、チャネルサーチ、チャネルスキャンにより取得するチャネルの受信情報を用いて、チャネルリスト情報が随時更新される。
【００９８】
これにより表示されるチャネルリスト上のチャネル情報の受信可、受信不可などの精度を向上させることができる。
【００９９】
つまり、チャネルリストを用いてユーザがチャネルスキャンを行う場合に、チャネルリストのチャネルの受信状況を確認して、実際にチャネルスキャンを実行するか否かを確認させることによって、チャネルスキャン実行回数を減少させることができる。
【０１００】
よって、放送受信装置３００では、一番最初にチャネルサーチした結果と、過去にチャネルを受信した際のチャネル情報として受信方法、受信状態（受信電界）、受信時間を表示できる。このため、ユーザに受信可能なチャネルを推定させることができ、チャネルスキャンを行う回数を減らし、ユーザの利便性を向上させることができる。
【０１０１】
（実施の形態３）
図７は、本発明の実施の形態３に係る放送受信装置４００の構成を示すブロック図である。
【０１０２】
本発明の実施の形態３に係る放送受信装置４００は、放送受信装置１００と同様に、デジタル放送受信装置を例に挙げて説明する。なお、この放送受信装置４００は、図１に示す実施の形態１の放送受信装置１００と同様の基本的構成に加えて、放送受信装置４００の位置情報を取得する位置情報取得手段を有するものである。よって、放送受信装置４００の説明において、同一の構成要素には同一の符号を付し、その説明を省略する。
【０１０３】
放送受信装置４００は、受信した放送波を用いて放送番組を視聴できるものであり、放送受信装置１００と同様の構成要素に加えて、位置情報取得部４４０を有する。復号データ処理部４１０の構成において、復号データ処理部４１０も含めて、図１記載のものと同名称を付している構成要素については同機能を有する。ここでは、復号データ処理部４１０を用いて、表示部１０６にチャネルリストとして表示されるチャネル情報であるチャネルの受信情報に、受信したチャネルの位置が表示される。
【０１０４】
位置情報取得部４４０は、アンテナ部４４１を介して放送受信装置４００の位置情報を取得して、復号データ処理部４１０に送る。位置情報取得部４４０は、例えば、ＧＰＳ衛星から発信される、時刻信号及び航法メッセージデータ等を含むＧＰＳ信号を受信して、放送受信装置４００の位置情報を取得するＧＰＳ受信機と、入力されたＧＰＳ信号を自装置４００の緯度、経度に変換して、自装置の緯度、経度を含む位置情報を算出するとともにＧＰＳ信号を取得した時刻情報を算出する処理を行う位置情報変換部とから構成する。
【０１０５】
なお、位置情報取得部４４０は、放送受信装置４００が携帯電話機である場合、携帯電話機と通信可能な基地局から送信される携帯電話機の位置情報を取得する構成としてもよい。
【０１０６】
チャネル情報処理部４１２は、チャネル情報処理部１１２の実行部１１１と同様の、実行部４１１を有する。すなわち、チャネル情報処理部４１２は、実行部４１１によって、指示部１０５からの入力に基づく制御部４１４からの指示情報を受けて、無線受信部１０２及び復調部１０３にチャネルのサーチ、スキャン及び選局などを実行させる。
【０１０７】
加えて、チャネル情報処理部４１２は、チャネル情報処理部１１２と同様に放送波を受信してチャネルを取得すると共に、位置情報取得部４４０から入力される位置情報を、放送エリア情報に対応させ、データ化してチャネル情報に追加する。
【０１０８】
具体的には、チャネル情報処理部４１２は、放送エリアを示す放送エリア情報を有し、この放送エリア情報に、入力される位置情報を対応させることによって、放送受信装置の位置を算出し、算出した位置情報をチャネル情報に追加する。
【０１０９】
チャネル情報処理部４１２が有する放送エリア情報は、データ化されたテーブルであることが望ましい。つまり、チャネル情報処理部４１２は、放送エリアを所定の地点（緯度経度）で囲まれた領域とし、これら所定の地点によって区分し、これら区分する緯度経度データを用いて記憶している。
【０１１０】
図８は、チャネル情報処理部４１２が有する放送エリア情報の一例を説明するための図である。
【０１１１】
例えば、図８に示すように、所定の放送エリア、ここでは関東エリアを所定の緯度、経度で囲まれたエリアとみなす。ここでは、関東エリアは、Ｐ１（36°20’00.00”, 139°15’ 00.00”）、Ｐ２（36°20’00.00”, 141°00’ 00.00”）、Ｐ３（34°50’00.00”, 139°15’ 00.00”）、Ｐ４（34°50’00.00”, 141°00’ 00.00”）の４つの地点（緯度、経度）で囲まれるエリアとしている。
【０１１２】
チャネル情報処理部４１２は、地点Ｐ１〜Ｐ４をデータ化(03450,03620,13915,14100）し、関東エリアを示すエリア情報として記憶している。同様に、同様にして、中京、近畿エリアについてもデータ化（中京エリア（03410, 03530, 13630, 13720）、近畿エリア（03360, 03510, 13450, 13550)）し、テーブルとして記憶している。このようにチャネル情報処理部４１２では、放送エリアをデータ化して記憶しているため、地図情報を記憶する場合と比較しても、記憶容量を低く抑えることができる。
【０１１３】
図９はエリアテーブルの一例を示す図である。
【０１１４】
このような放送エリアのテーブルを有するチャネル情報処理部４１２では、位置情報取得部４４０から入力される位置情報が、例えば、（緯度、経度）＝(35°45’24.00”, 140°22’13.00”）である場合、(A, B)=(03545, 14022）とデータ化し、エリアテーブルを参照して、A1≦A≦A2かつB1≦B≦B2の条件を満たすものを検索する。
【０１１５】
この場合、関東エリアが条件を満たすので、チャネル情報に位置情報として放送エリア名を追加する。表示制御部４１７は、指示部１０５からのチャネルリスト表示の要求に応じて、チャネル情報処理部４１２を介して表示部１０６に、放送エリア情報も含む受信可能なチャネル情報を表示する。
【０１１６】
図１０は、放送エリア名を含むチャネル情報を表示したチャネルリストの一例を示す図である。
【０１１７】
この図１０に示すように、受信可能なチャネル（ＣＨ１，ＣＨ３，ＣＨ８，…，ＣＨ４２，ＣＨ５５）と、その受信状況（電界強，電界中，電界中、…電界強，受信不可）、その受信日時（１／５＿１２：３３，１／１３＿９：１５，…）に加えて、受信した放送エリア（関東）を表示することができる。例えば図１０では、受信可能なチャネルＣＨ１は電界強、１／５、１２：３３、関東エリアで受信したものであることを表示することができる。
【０１１８】
これにより、ユーザは、放送受信装置４００の位置で、チャネルサーチ、チャネルスキャン、チャネル受信を行う場合、放送エリアも参照して、所望の動作を行うユーザの利便性の向上を図ることができる。
【０１１９】
また、図１０のチャネルリストに示すように、本実施の形態では、チャネル情報処理部４１２の処理によって表示部１０６に表示されるチャネル情報として、放送局名（ＮＮＮ総合、ＮＮＮ教育、ｘｘｘテレビ、…、テレビａａａ、ｃｃｃ放送）を表示する。この場合、チャネル情報処理部４１２は、放送エリアテーブルの他に、チャネル番号と放送局とを対応付けるテーブルを有し、受信可能なチャネルを検出したならば、そのチャネルのチャネル番号をキーとしてテーブルを検索して放送局を特定するものとする。
【０１２０】
チャネル情報取得部４１２が取得するチャネル情報としての受信情報をもとに、チャネルリスト情報を随時更新する。これにより表示されるチャネルリストの情報精度、つまり、チャネルの受信可／否の精度を高くなる。
【０１２１】
よって、放送受信装置４００は、一番最初にチャネルサーチした結果と、過去に受信したデータ（受信方法、受信電界、受信時間）を、チャネルリストとして受信可能なチャネルを各受信方法、受信電界が示す受信状態及び受信した時間などをそれぞれ識別可能に表示部１０６に表示する。この表示されたチャネルリストによりユーザに受信可能なチャネルを推定させることができ、チャネルスキャンを行う回数を減らし、ユーザの利便性を向上させる。
【０１２２】
（他の実施の形態）
本実施の形態１の放送受信装置１００では、図２に示すように、チャネルスキャン要求があったときに、チャネルリスト表示を行うようにしたが、これに限らず、選局要求、サーチ要求がそれぞれあったときにもチャネルリストを表示するようにしてもよい。
【０１２３】
図１１は、本発明に係る他の実施形態の放送受信装置の動作を示すフローチャートであある。
【０１２４】
図１１に示す処理は、図２に示す実施の形態１の放送受信装置１００の動作と比較して、ステップＳ２０３〜ステップＳ２０６までの処理に変えてステップＳ２０００の処理を行うものであり、その他の処理は同様である。よって、異なる処理のみ説明を行い、同様の処理については同符号を付して説明を省略する。
【０１２５】
図１１に示すように、他の実施の形態では、ステップＳ２０２において、復号データ処理部１１０（図１参照）において、チャネル情報処理部１１２が、ＴＶ視聴の対象となっている受信中のチャネル情報をチャネル情報用メモリ１０４に保存及び更新した後、ステップＳ２０００に移行する。
【０１２６】
ステップＳ２０００では、制御部１１４は、選択要求、チャネルサーチ要求及びチャネルスキャン要求のいずれかの選択の有無を判定した後、ステップＳ２０８に移行してチャネルリストを表示部１０６に表示するものである。
【０１２７】
つまり、他の実施の形態における放送受信装置では、指示部１０５を介してチャネルサーチ要求及びチャネルスキャン要求のうちいずれの要求が選択されても、制御部１１４によって、表示部１０６にチャネルリストが表示される。
【０１２８】
この他の実施の形態によれば、選局、チャネルサーチ、チャネルスキャンの指示により、これらの動作の実施時に、これら動作により取得するチャネルのチャネル情報を更新する。また、チャネルを選局して視聴している最中、つまり、チャネルの受信中においても受信中のチャネル情報を更新する。そして、ユーザがチャネル選局、チャネルサーチ要求、チャネルスキャン要求を行った場合に最新のチャネル情報を有するチャネルリストを表示することができる。
【０１２９】
なお、ここでは、本発明をハードウェアで構成する場合を例にとって説明したが、本発明をソフトウェアで実現することも可能である。例えば、本発明に係る放送受信装置による受信方法のアルゴリズムをプログラミング言語によって記述し、このプログラムをメモリに記憶しておいて情報処理手段によって実行させることにより、本発明に係る放送受信装置と同様の機能を実現することができる。
【０１３０】
本発明の第１の態様に係る放送受信装置は、放送波を受信する受信手段と、前記受信手段を制御して、チャネルのスキャン、サーチ及び選局のそれぞれを実行させる実行手段と、前記受信手段の前記スキャン、サーチ及び選局のそれぞれの実行により受信するチャネルに関する情報を、当該チャネルの受信状態を示す受信状態情報を含めた受信可能なチャネル情報として取得するチャネル情報取得手段と、前記スキャン、サーチ及び選局のそれぞれが実行される毎に、前記チャネル情報取得手段により取得される前記チャネル情報をチャネルリストとして保存又は更新して記憶する記憶手段と、前記チャネルのスキャン、サーチ及び選局の実行のそれぞれを指示する指示手段と、前記指示手段の指示に応じて前記実行手段を制御するとともに、前記指示手段から前記スキャンの実行が指示された場合、前記受信手段に前記スキャンを実行させる前に、前記記憶手段に記憶された前記チャネルリストを表示部に表示する制御手段とを有する構成を採る。
【０１３１】
この構成によれば、チャネルのスキャン実行が指示された際に、スキャン実行を行う前に、スキャン、サーチ及び選局のそれぞれが実行される毎に保存又は更新されたチャネル情報がチャネルリストとして表示される。
【０１３２】
つまり、チャネルのスキャンの際に表示されるチャネルリストのチャネル情報として、受信可能なチャネルの最も新しい受信状態情報が表示される。
【０１３３】
よって、視聴する場所において受信可能なチャネルの精度の高い受信情報を表示することができ、実際にチャネルをスキャンすることなく受信可能性の高いチャネルを受信可能チャネルとして確認させることができる。
【０１３４】
本発明の第２の態様に係る放送受信装置は、上記構成において、前記制御手段は、前記指示手段から前記サーチまたは前記選局の実行が指示された場合、前記受信手段に前記サーチまたは前記選局を実行させる前に、前記チャネルリストを前記表示部に表示する構成を採る。
【０１３５】
この構成によれば、チャネルのサーチ実行またはチャネルの選局実行が指示された際にも、サーチ実行またはチャネルの選局実行を行う前に、スキャン、サーチ及び選局のそれぞれが実行される毎に保存又は更新されたチャネル情報がチャネルリストとして表示される。
【０１３６】
つまり、チャネルのサーチまたは選局の前に、受信可能なチャネルの最も新しい受信状態情報としてチャネルリストのチャネル情報が表示される。このため、チャネルサーチまたはチャネル選局を行う場合でも、視聴する場所において受信可能なチャネルの精度の高い受信情報を、実際にチャネルをサーチまたは選局する前に確認させることができる。
【０１３７】
本発明の第３の態様に係る放送受信装置は、上記構成において、前記受信手段は、複数のアンテナ部を有し、前記スキャン、サーチ及び選局のうち少なくとも一つを実行する際に、前記放送波を、前記複数のアンテナ部を用いたダイバシティ受信または前記複数のアンテナ部の一本を用いたシングル受信の一方で行い、
前記ダイバシティ受信または前記シングル受信を介して前記チャネル情報取得手段により取得される前記チャネル情報には、前記前記ダイバシティ受信またはシングル受信を行ったことを示す受信方法情報が含まれる構成を採る。
【０１３８】
この構成によれば、チャネルのスキャン、サーチのうち少なくとも一つの実行が指示された際に、スキャン、サーチのうち少なくとも一つの実行を行う前に表示されるチャネルリストには、受信可能なチャネルの受信状態情報として、ダイバシティ受信を行ったことを示す受信方法情報や一本のアンテナで受信を行ったことを示す受信方法情報が含まれる。
【０１３９】
よって、チャネルリストにおいて受信可能なチャネルの受信方法を視認させることができる。詳細には、ユーザに対して、受信可能チャネルであるが、ダイバシティ受信して取得したもの、つまり、受信状態がよくなかったものとして確認させるたり、ユーザに対して、受信可能チャネルが、一本のアンテナ部を用いてシングル受信して取得したもの、つまり、受信状態が良かったものとして確認させることができる。
【０１４０】
このように、チャネルリストに、受信可能なチャネルの受信方法を表示することによって、ユーザに対して、スキャンを実行させるチャネルの判断情報を提供し、ユーザの利便性を更に向上させることができる。
【０１４１】
本発明の第４の態様に係る放送受信装置は、上記構成において、前記チャネル情報取得手段により前記チャネル情報を取得した場所の位置情報を取得する位置情報取得手段を更に有し、前記記憶手段は、前記位置情報を前記チャネル情報として記憶する構成を採る。
【０１４２】
この構成によれば、チャネル情報として、位置情報が含まれるため、チャネルのスキャン実行が指示された際に、スキャン実行を行う前に表示されるチャネルリストに、チャネルリストのチャネルが、どの場所において受信可能であったかを表示させることができる。
【０１４３】
本発明の第５の態様に係る受信方法は、放送波を受信して、チャネルのスキャン、サーチ及び選局のそれぞれを実行するステップと、前記スキャン、サーチ及び選局のそれぞれの実行により受信するチャネルに関する情報を、当該チャネルの受信状態を示す受信状態情報を含めた受信可能なチャネル情報として取得するステップと、前記スキャン、サーチ及び選局のそれぞれが実行される毎に取得される前記チャネル情報をチャネルリストとして保存又は更新して記憶するステップと、前記スキャンの実行が指示された場合、前記スキャンの実行の指示を受けて、前記スキャンを実行する前に、前記記憶ステップに記憶された前記チャネルリストを表示部に表示する表示ステップを備えるようにした。
【０１４４】
この方法によれば、チャネルのスキャン実行が指示された際に、スキャン実行を行う前に、スキャン、サーチ及び選局のそれぞれが実行される毎に保存又は更新されたチャネル情報がチャネルリストとして表示される。つまり、チャネルのスキャンの際に表示されるチャネルリストのチャネル情報として、受信可能なチャネルの最も新しい受信状態情報が表示される。
【０１４５】
よって、視聴する場所において受信可能なチャネルの精度の高い受信情報を表示することができ、実際にチャネルをスキャンすることなく受信可能性の高いチャネルを受信可能チャネルとして確認させることができる。
【産業上の利用可能性】
【０１４６】
本発明に係る放送受信装置及び受信方法は、視聴する場所において受信可能なチャネルの受信情報を表示して、実際にチャネルをスキャンすることなく受信可能性の高いチャネルを受信可能チャネルとして確認させることができる効果を有し、地上波デジタル放送を受信可能な携帯端末として有用である。
【図面の簡単な説明】
【０１４７】
【図１】本発明の実施の形態１に係る放送受信装置の構成を示すブロック図
【図２】同放送受信装置におけるチャネル受信中の動作を説明するフローチャート
【図３】同放送受信装置により表示部に表示されるチャネルリストの一例を示す図
【図４】本発明の実施の形態２に係る放送受信装置の構成を示すブロック図
【図５】ダイバシティ受信機能を有する放送受信装置の表示部に表示されるチャネルリストの一例を示す図
【図６】同ダイバシティ受信機能を有する放送受信装置の表示部に表示されるチャネルリストの別例を示す図
【図７】本発明の実施の形態３に係る放送受信装置の構成を示すブロック図
【図８】チャネル情報処理部が有する放送エリア情報の一例を説明するための図
【図９】エリアテーブルの一例を示す図
【図１０】放送エリア名を含むチャネル情報を表示したチャネルリストの一例を示す図
【図１１】本発明の他の実施の形態に係る放送受信装置におけるチャネル受信中の動作を説明するフローチャート
【符号の説明】
【０１４８】
１００、３００、４００  放送受信装置
１０１、１０１ａ、４４１  アンテナ部
１０２、１０２ａ  無線受信部
１０３、１０３ａ  復調部
１０４  チャネル情報用メモリ
１０５  指示部
１０６  表示部
１０７  合成部
１１０、３１０、４１０  復号データ処理部
１１２、３１２、４１２  チャネル情報処理部
１１３、３１３、４１３  チャネル情報取得部
１１４、３１４、４１４  制御部
１１５、３１５  選択判定部
１１６、３１６  受信判定部
１１７、３１７、４１７  表示制御部
４４０  位置情報取得部
【図１】
2008072503.tif 000003
【図２】
2008072503.tif 000004
【図３】
2008072503.tif 000005
【図４】
2008072503.tif 000006
【図５】
2008072503.tif 000007
【図６】
2008072503.tif 000008
【図７】
2008072503.tif 000009
【図８】
2008072503.tif 000010
【図９】
2008072503.tif 000011
【図１０】
2008072503.tif 000012
【図１１】
2008072503.tif 000013